(57)【要約】【課題】利用者の購買意欲を更に高めることができる物品払出装置を提供する。【解決手段】物品払出装置１０は、複数の物品を収容する物品収容部２４と、物品を払い出す操作を行う払出操作部２６と、払出操作部２６の操作により物品収容部２４から払いだされた物品２２が通過する第１の通路３０とを有する物品払出部２０と、複数の物品４２が載置される物品載置部４４と、物品４２を把持するクレーン４６と、クレーン４６を操作するクレーン操作部４８と、クレーン操作部４８の操作に基づいてクレーン４６を制御するクレーン制御部６２と、クレーン４６により物品載置部４４から掴み取られた物品４２が通過する第２の通路５０を有するクレーンゲーム部４０と、第１の通路３０を物品が通過することを検出する通過検出手段３２とを有する。通過検出手段３２により物品２２が通過したことが検出されると、クレームゲーム部４０が操作可能となる。【選択図】図１
2016110555.tif 000002
【特許請求の範囲】
【請求項１】
複数の物品を収容する物品収容部と、物品を払い出す操作を行う払出操作部と、前記払出操作部の操作により前記物品収容部から払いだされた物品が通過する第１の通路とを有する物品払出部と、
複数の物品が載置される物品載置部と、物品を把持するクレーンと、前記クレーンを操作するクレーン操作部と、前記クレーン操作部の操作に基づいて前記クレーンを制御するクレーン制御部と、前記クレーンにより前記物品載置部から掴み取られた物品が通過する第２の通路とを有するクレーンゲーム部と、
前記物品払出部において前記第１の通路を物品が通過することを検出する通過検出手段と有し、
前記通過検出手段により物品が通過したことが検出されると、前記クレームゲーム部が操作可能となる
ことを特徴とする物品払出装置。
【請求項２】
請求項１記載の物品払出装置において、
前記物品払出部の前記第１の通路と、前記クレーンゲーム部の前記第２の通路とが合流して合流通路を更に有し、
前記合流通路に、物品が排出される物品排出口が設けられている
ことを特徴とする物品払出装置。
【請求項３】
請求項１又は２記載の物品払出装置において、
前記物品払出部が複数設けられている
ことを特徴とする物品払出装置。
【請求項４】
複数の物品を収容する物品収容部と、物品を払い出す操作を行う払出操作部と、前記払出操作部の操作により前記物品収容部から払いだされた物品が通過する第１の通路とを有する物品払出部と、複数の物品が載置される物品載置部と、物品を把持するクレーンと、前記クレーンを操作するクレーン操作部と、前記クレーン操作部の操作に基づいて前記クレーンを制御するクレーン制御部と、前記クレーンにより前記物品載置部から掴み取られた物品が通過する第２の通路とを有するクレーンゲーム部と、前記物品払出部において前記第１の通路を物品が通過することを検出する通過検出手段と有する物品払出装置の制御方法であって、
前記払出操作部の操作に応じて、前記物品払出装置から物品を払い出すステップと、
前記通過検出手段により物品が通過したことが検出されると、前記クレームゲーム部を操作可能とするステップと
を有することを特徴とする物品払出装置の制御方法。
【発明の詳細な説明】
【技術分野】
【０００１】
本発明は物品払出装置及び物品払出装置の制御方法に関する。
【背景技術】
【０００２】
通称ガチャガチャと呼ばれる物品払出装置が知られている。
【０００３】
物品払出装置は、数種類の異なる物品を収容した複数個のカプセルを物品収納部に収納しておき、利用者が所定の金銭を投入して操作部を操作すると、その操作に連動して物品収納部に収納されている複数個のカプセルの中から１個のカプセルを外部へ払出すようにしている。
【０００４】
当初は単体の物品払出装置が主流であったが、装置の設置効率や装置外観等を考慮して、複数の物品払出装置を上下に重ねる等、利用者の購買意欲を高める工夫がなされている（特許文献１参照）。
【先行技術文献】
【特許文献】
【０００５】
【特許文献１】特開２００３−１２３１３５号公報
【発明の概要】
【発明が解決しようとする課題】
【０００６】
本発明の目的は、利用者の購買意欲を更に高めることができる物品払出装置及び物品払出装置の制御方法を提供することにある。
【課題を解決するための手段】
【０００７】
本発明の一態様による物品払出装置は、複数の物品を収容する物品収容部と、物品を払い出す操作を行う払出操作部と、前記払出操作部の操作により前記物品収容部から払いだされた物品が通過する第１の通路とを有する物品払出部と、複数の物品が載置される物品載置部と、物品を把持するクレーンと、前記クレーンを操作するクレーン操作部と、前記クレーン操作部の操作に基づいて前記クレーンを制御するクレーン制御部と、前記クレーンにより前記物品載置部から掴み取られた物品が通過する第２の通路とを有するクレーンゲーム部と、前記物品払出部において前記第１の通路を物品が通過することを検出する通過検出手段と有し、前記通過検出手段により物品が通過したことが検出されると、前記クレームゲーム部が操作可能となることを特徴とする。
【０００８】
上述した物品払出装置において、前記物品払出部の前記第１の通路と、前記クレーンゲーム部の前記第２の通路とが合流して合流通路を更に有し、前記合流通路に、物品が排出される物品排出口が設けられているようにしてもよい。
【０００９】
上述した物品払出装置において、前記物品払出部が複数設けられているようにしてもよい。
【００１０】
本発明の一態様による物品払出装置の制御方法は、複数の物品を収容する物品収容部と、物品を払い出す操作を行う払出操作部と、前記払出操作部の操作により前記物品収容部から払いだされた物品が通過する第１の通路とを有する物品払出部と、複数の物品が載置される物品載置部と、物品を把持するクレーンと、前記クレーンを操作するクレーン操作部と、前記クレーン操作部の操作に基づいて前記クレーンを制御するクレーン制御部と、前記クレーンにより前記物品載置部から掴み取られた物品が通過する第２の通路とを有するクレーンゲーム部と、前記物品払出部において前記第１の通路を物品が通過することを検出する通過検出手段と有する物品払出装置の制御方法であって、前記払出操作部の操作に応じて、前記物品払出装置から物品を払い出すステップと、前記通過検出手段により物品が通過したことが検出されると、前記クレームゲーム部を操作可能とするステップとを有することを特徴とする。
【発明の効果】
【００１１】
以上の通り、本発明によれば、複数の物品を収容する物品収容部と、物品を払い出す操作を行う払出操作部と、払出操作部の操作により物品収容部から払いだされた物品が通過する第１の通路とを有する物品払出部と、複数の物品が載置される物品載置部と、物品を把持するクレーンと、クレーンを操作するクレーン操作部と、クレーン操作部の操作に基づいてクレーンを制御するクレーン制御部と、クレーンにより物品載置部から掴み取られた物品が通過する第２の通路とを有するクレーンゲーム部と、物品払出部において第１の通路を物品が通過することを検出する通過検出手段と有し、通過検出手段により物品が通過したことが検出されると、クレームゲーム部が操作可能となるようにしたので、利用者の購買意欲を更に高めることができる。
【図面の簡単な説明】
【００１２】
【図１】本発明の第１実施形態による物品払出装置の正面図である。
【図２】本発明の第１実施形態による物品払出装置の左側面図である。
【図３】本発明の第１実施形態による物品払出装置の平面図である。
【図４】本発明の第１実施形態による物品払出装置のブロック図である。
【図５】本発明の第１実施形態による物品払出装置の動作を示すフローチャートである。
【図６】本発明の第２実施形態による物品払出装置の正面図である。
【図７】本発明の第２実施形態による物品払出装置のブロック図である。
【発明を実施するための形態】
【００１３】
［第１実施形態］
本発明の第１実施形態による物品払出装置について図１乃至図５を用いて説明する。図１は本実施形態による物品払出装置の正面図であり、図２は本実施形態による物品払出装置の左側面図であり、図３は本実施形態による物品払出装置の平面図であり、図４は本実施形態による物品払出装置のブロック図であり、図５は本実施形態による物品払出装置の動作を示すフローチャートである。
【００１４】
（物品払出装置の構成）
本実施形態の物品払出装置１０の外観について図１乃至図３の正面図、左側面図、平面図を用いて説明する。
【００１５】
本実施形態の物品払出装置１０は、ひとつの筐体１２内に、物品を払い出す物品払出部２０と、クレーンゲームを行うクレーンゲーム部４０とが組み込まれている。例えば、物品払出装置１０の正面右側に物品払出部２０が設けられ、正面左側にクレーンゲーム部４０が設けられている。筐体１２の底部には、物品払出装置１０を移動し設置するためのキャスター１４とストッパ１６とが設けられている。
【００１６】
物品払出部２０の上部には、例えば、カプセルに封入された物品２２が多数個収納された物品収納部２４が設けられている。物品収納部２４の下部には、物品購入時に遊戯者が操作する払出操作部であるハンドル２６が設けられている。ハンドル２６の下部には、物品購入用のコイン又は貨幣を投入するコイン投入口２８が設けられている。
【００１７】
物品払出部２０の内部には、物品収納部２４から払い出される物品２２が落下して通過する通路３０が設けられている。通路３０の途中には、物品２２が通過したことを検出する通過検出手段３２が設けられている。
【００１８】
通過検出手段３２としては、例えば、赤外発光ダイオードの発光素子とフォトトランジスタの受光素子をと向い合せに併置し、両素子間を通過する物体を検出する通過形フォトセンサである。
【００１９】
クレーンゲーム部４０の上部には、複数の物品４２が載置される物品載置部４４が設けられている。物品載置部４４内には、物品４２を把持するクレーン４６が設けられている。物品載置部４４の下部には、クレーン４６を操作するクレーン操作部４８が設けられている。クレーン操作部４８には、クレーン４６を図２の左右方向及び前後方向に移動させる指示を行うためのレバー４８ａと、物品４２の把持動作のためクレーン４６を図２の下方向に移動させるためのボタン４８ｂとが設けられている。クレーン４６により物品４２を掴み、掴んだ物品４２を物品載置部４４の落とし穴（図示せず）上に移動して離す動作は、自動で行われる。
【００２０】
クレーンゲーム部４０の内部には、クレーン４６で把持した物品４２を落下させて通過する通路５０が設けられている。クレーン操作部４８の下部には、物品４２を外部に排出する物品排出口４９が設けられている。
【００２１】
物品払出部２０の通路２８とクレーンゲーム部４０の通路４６とは合流して合流通路５２に接続されている。合流通路５２には、物品払出部２０からの物品２２と、クレーンゲーム部４０からの物品４２とが外部に排出される物品排出口４９が接続されている。
【００２２】
本実施形態の物品払出装置１０の構成について図４のブロック図を用いて説明する。
【００２３】
物品払出装置１０には物品払出部２０とクレーンゲーム部４０とが設けられている。
【００２４】
物品払出部２０には、コイン投入口２８から物品購入のために投入されたコイン又は貨幣を検出するコイン検出手段６０と、物品２２が通路３０を通過したことを検出する通過検出手段３２とが設けられている。
【００２５】
クレーンゲーム部４０には、物品４２を把持するクレーン４６と、クレーン４６を操作するクレーン操作部４８と、クレーン操作部４８を制御するクレーン制御部６２とが設けられている。
【００２６】
物品払出装置１０内には、ＢＧＭ（バックグラウンドミュージック）を出力するためのＢＧＭ出力部６４が更に設けられている。
【００２７】
コイン（図示せず）がコイン投入口２８から投入されると、コイン検出手段６０により投入されたことが検出される。その検出信号がＢＧＭ出力部６４に送信される。ＢＧＭ出力部６４からは、例えば、コインが投入され物品払出装置１０が作動状態となったことを知らせるＢＧＭ（バックグラウンドミュージック）が出力される。
【００２８】
物品払出部２０から物品２２が払い出されると、通過検出手段３２により物品２２が通路３０を通過したことが検出される。その検出信号はクレーン制御部６２に送信される。クレーン制御部６２によりクレーンゲーム部４０が起動され、クレーンゲームを行うことが可能となる。
【００２９】
（物品払出装置の動作）
本実施形態の物品払出装置１０の動作について図５のフローチャートを用いて説明する。
【００３０】
まず、利用者がコイン投入口２８から指定金額のコインを投入する（ステップＳ１１）。
【００３１】
コイン検出手段６０によりコインが投入されたことが検出されると、その検出信号はＢＧＭ出力部６４に送信され、ＢＧＭ出力部６４から物品払出装置１０が作動状態となった合図のＢＧＭ（バックグラウンドミュージック）が流れ出す（ステップＳ１２）。このＢＧＭは物品払出装置１０が作動を介して物品払出部２０が動作してクレーンゲーム部４０の動作が終わるまで流れ続ける。
【００３２】
次に、利用者が物品払出部２０のハンドル２６を回転させる（ステップＳ１３）。
【００３３】
利用者がハンドル２６を回転させると、物品収納部２４に収納されていた物品２２が通路３０を落下し、合流通路５２を経て、物品排出口４９に排出される（ステップＳ１４）。
【００３４】
利用者は物品排出口４９に排出された物品２２を取り出す（ステップＳ１５）。
【００３５】
物品２２が通路３０を落下すると、通過検出手段３２により物品２２が通路３０を通過したことが検出され、その検出信号がクレーン制御部６２に出力され、それによりクレーンゲーム部４０が起動する（ステップＳ１６）。
【００３６】
クレーンゲーム部４０が起動すると、クレーンゲーム部４０の物品載置部４４内の照明（図示せず）が点灯する（ステップＳ１７）。
【００３７】
次に、利用者がクレーン操作部４８のレバー４８ａとボタン４８ｂを操作してクレーンゲームを実行する（ステップＳ１８）。
【００３８】
利用者のクレーンゲームの実行結果に応じて、物品４２が獲得できた場合には、物品４２は、クレーンゲーム部４０の通路４６を落下し、合流通路５２を経て、物品排出口４９に排出される（ステップＳ１９）。
【００３９】
利用者は物品排出口４９に排出された物品４２を取り出す（ステップＳ２０）。
【００４０】
これにより本実施形態の物品払出装置１０の動作が終了する。
【００４１】
なお、利用者がクレーンゲームにより物品４２が獲得できなかった場合には、ステップＳ２０で、本実施形態の物品払出装置１０の動作が終了する。
【００４２】
このように本実施形態によれば、物品払出部から物品を購入すると、おまけとして、クレーンゲームを楽しむことができる。利用者にとってクレーンゲームは失敗すると物品を獲得することができないリスクのあるゲームであるが、おまけであれば気軽に楽しむことができる。クレーンゲームに成功すれば更に物品を獲得することができる。仮にクレーンゲームに失敗しても物品を購入するという初期の目的を達成することができる。これにより、利用者の購買意欲を更に高めることができる。
【００４３】
［第２実施形態］
本発明の第２実施形態による物品払出装置について図６及び図７を用いて説明する。図６は本実施形態による物品払出装置の正面図であり、図７は本実施形態による物品払出装置のブロック図である。
【００４４】
（物品払出装置の構成）
本実施形態の物品払出装置１０の外観について図６の正面図を用いて説明する。
【００４５】
本実施形態の物品払出装置１０は、ひとつの筐体１２内に、物品を払い出す２台の物品払出部２０Ａ、２０Ｂと、クレーンゲームを行う１台のクレーンゲーム部４０とが組み込まれている。例えば、物品払出装置１０の正面右側に２台の物品払出部２０Ａと物品払出部２０Ｂが上下に設けられ、正面左側にクレーンゲーム部４０が設けられている。筐体１２の底部には、物品払出装置１０を移動し設置するためのキャスター１４とストッパ１６とが設けられている。
【００４６】
上部に設けられた物品払出部２０Ａの上部には、例えば、カプセルに封入された物品２２が多数個収納された物品収納部２４Ａが設けられている。物品収納部２４Ａの下部には、物品購入時に遊戯者が操作する払出操作部であるハンドル２６Ａが設けられている。ハンドル２６Ａの下部には、物品購入用のコイン又は貨幣を投入するコイン投入口２８Ａが設けられている。
【００４７】
物品払出部２０Ａの内部には、物品収納部２４Ａから払い出される物品２２が落下して通過する通路３０Ａが設けられている。通路３０Ａの途中には、物品２２が通過したことを検出する通過検出手段３２Ａが設けられている。
【００４８】
下部に設けられた物品払出部２０Ｂの上部には、例えば、カプセルに封入された物品２２が多数個収納された物品収納部２４Ｂが設けられている。物品収納部２４Ｂの下部には、物品購入時に遊戯者が操作する払出操作部であるハンドル２６Ｂが設けられている。ハンドル２６Ｂの下部には、物品購入用のコイン又は貨幣を投入するコイン投入口２８Ｂが設けられている。
【００４９】
物品払出部２０Ｂの内部には、物品収納部２４Ｂから払い出される物品２２が落下して
通過する通路３０Ｂが設けられている。通路３０Ｂの途中には、物品２２が通過したことを検出する通過検出手段３２Ｂが設けられている。
【００５０】
通過検出手段３２Ａ、３２Ｂとしては、例えば、赤外発光ダイオードの発光素子とフォトトランジスタの受光素子をと向い合せに併置し、両素子間を通過する物体を検出する通過形フォトセンサである。
【００５１】
クレーンゲーム部４０の上部には、複数の物品４２が載置される物品載置部４４が設けられている。物品載置部４４内には、物品４２を把持するクレーン４６が設けられている。物品載置部４４の下部には、クレーン４６を操作するクレーン操作部４８が設けられている。クレーン操作部４８には、クレーン４６を図２の左右方向及び前後方向に移動させる指示を行うためのレバー４８ａと、物品４２の把持動作のためクレーン４６を図２の下方向に移動させるためのボタン４８ｂとが設けられている。クレーン４６により物品４２を掴み、掴んだ物品４２を物品載置部４４の落とし穴（図示せず）上に移動して離す動作は、自動で行われる。
【００５２】
クレーンゲーム部４０の内部には、クレーン４６で把持した物品４２を落下させて通過する通路５０が設けられている。クレーン操作部４８の下部には、物品４２を外部に排出する物品排出口４９が設けられている。
【００５３】
物品払出部２０Ａの通路２８Ａとクレーンゲーム部４０の通路４６とは合流して合流通路５２に接続されている。物品払出部２０Ｂの通路２８Ｂとクレーンゲーム部４０の通路４６とは合流して合流通路５２に接続されている。合流通路５２には、物品払出部２０Ａ、物品払出部２０Ｂからの物品２２と、クレーンゲーム部４０からの物品４２とが外部に排出される物品排出口４９が接続されている。
【００５４】
本実施形態の物品払出装置１０の構成について図７のブロック図を用いて説明する。
【００５５】
物品払出装置１０には物品払出部２０Ａ、２０Ｂとクレーンゲーム部４０とが設けられている。
【００５６】
物品払出部２０Ａには、コイン投入口２８Ａから物品購入のために投入されたコイン又は貨幣を検出するコイン検出手段６０Ａと、物品２２が通路３０Ａを通過したことを検出する通過検出手段３２Ａとが設けられている。
【００５７】
物品払出部２０Ｂには、コイン投入口２８Ｂから物品購入のために投入されたコイン又は貨幣を検出するコイン検出手段６０Ｂと、物品２２が通路３０Ｂを通過したことを検出する通過検出手段３２Ｂとが設けられている。
【００５８】
クレーンゲーム部４０には、物品４２を把持するクレーン４６と、クレーン４６を操作するクレーン操作部４８と、クレーン操作部４８を制御するクレーン制御部６２とが設けられている。
【００５９】
物品払出装置１０内には、ＢＧＭ（バックグラウンドミュージック）を出力するためのＢＧＭ出力部６４が更に設けられている。
【００６０】
利用者により、物品払出部２０Ａ及び物品払出部２０Ｂのいずれかが選択される。コイン（図示せず）が物品払出部２０Ａのコイン投入口２８Ａ、又は、物品払出部２０Ｂのコイン投入口２８Ｂから投入されると、コイン検出手段６０Ａ、又は、コイン検出手段６０Ｂにより投入されたことが検出される。その検出信号がＢＧＭ出力部６４に送信される。ＢＧＭ出力部６４からは、例えば、コインが投入され物品払出装置１０が作動状態となったことを知らせるＢＧＭ（バックグラウンドミュージック）が出力される。
【００６１】
物品払出部２０Ａ又は物品払出部２０Ｂから物品２２が払い出されると、通過検出手段３２Ａ又は通過検出手段３２Ｂにより物品２２が通路３０Ａ又は通路３０Ｂを通過したことが検出される。その検出信号はクレーン制御部６２に送信される。クレーン制御部６２によりクレーンゲーム部４０が起動され、クレーンゲームを行うことが可能となる。
【００６２】
（物品払出装置の動作）
本実施形態の物品払出装置１０の動作について説明する。
【００６３】
本実施形態の物品払出装置１０には、２台の物品払出部２０Ａ、２０Ｂがある。利用者は、先ず共通のコイン投入口２８にコインを投入する。利用者は、物品払出部２０Ａ、２０Ｂの物品収納部２４Ａ、２４Ｂ内の物品を見る等して、２台の物品払出部２０Ａ、２０Ｂのいずれかを使用するか決定する。利用者は、その決定した方の物品払出部２０Ａ又は２０Ｂのハンドル２６Ａ又は２６Ｂを回転させる。利用者が回転させたハンドル２６Ａ又は２６Ｂの物品払出部２０Ａ又は２０Ｂから、物品収納部２４Ａ又は２４Ｂに収納されていた物品２２が通路３０Ａ又は３０Ｂを落下し、合流通路５２を経て、物品排出口４９に排出される。
【００６４】
その後の動作は、図５のフローチャートに示す第１実施形態の物品払出装置１０の動作と同様であるので、説明を省略する。
【００６５】
このように本実施形態によれば、物品を購入するに際し、複数の物品払出部から好みの物品が収納された物品払出部を選択することができるので、利用者の購買意欲を更に高めることができる。
［変形実施形態］
本発明は上記実施形態に限らず種々の変形が可能である。
【００６６】
例えば、上記実施形態では、物品払出装置のひとつの筐体内に、１台又は２台の物品払出部を設けたが、３台以上の物品払出部を物品払出装置のひとつの筐体内に組み込んでもよい。
【００６７】
また、上記実施形態では、物品払出装置のひとつの筐体内に、１台のクレーンゲーム部を設けたが、２台以上の複数のクレーンゲーム部を物品払出装置のひとつの筐体内に組み込んでもよい。そして、物品の購入に応じて複数のクレーンゲーム部のうちの１台をランダムに起動させるようにしてもよい。
【００６８】
また、上記実施形態では、物品払出部で購入した物品とクレーンゲーム部で獲得した物品とを共通の物品排出口から排出したが、それぞれ別々の物品排出口から排出してもよい。
【００６９】
また、上記実施形態の物品払出装置、物品払出部、クレーンゲーム部は一例であって、他の構造であってもよい。
【符号の説明】
【００７０】
１０…物品払出装置
１２…筐体
１４…キャスター
１６…ストッパ
２０、２０Ａ、２０Ｂ…物品払出部
２２…物品
２４、２４Ａ、２４Ｂ…物品収納部
２６、２６Ａ、２６Ｂ…ハンドル
２８…コイン投入口
３０、３０Ａ、３０Ｂ…通路
３２、３２Ａ、３２Ｂ…通過検出手段
４０…クレーンゲーム部
４２…物品
４４…物品載置部
４６…クレーン
４８…クレーン操作部
４８ａ…レバー
４８ｂ…ボタン
４９…物品排出口
５０…通路
５２…合流通路
６０、６０Ａ、６０Ｂ…コイン検出手段
６２…クレーン制御部
６４…ＢＧＭ出力部
【図１】
2016110555.tif 000003
【図２】
2016110555.tif 000004
【図３】
2016110555.tif 000005
【図４】
2016110555.tif 000006
【図５】
2016110555.tif 000007
【図６】
2016110555.tif 000008
【図７】
2016110555.tif 000009